(57)【要約】 【課題】  放送情報の必要な部分を適切に記録する記録再生装置を提供する。【解決手段】  種別認識手段で放送情報の音声方式を認識し、種別変更認識手段で音声方式の切り替わりを認識し、識別信号付与手段で音声方式の切り替わり位置に識別信号を関連付けて放送情報とともにＨＤに記録する。ダビング要求信号を要求認識手段で認識すると、転送手段にて識別信号を関連付けた識別信号間のＣＭでない多重音声方式あるいはモノラル音声方式の部分情報を番組情報としてディスク状記録媒体に記録させる。ディスク状記録媒体にＣＭをスキップして番組情報を記録でき、記録領域を有効活用でき、必要な番組情報を適切に記録できる。【選択図】  図１
2005302128.tif 000002
【特許請求の範囲】
【請求項１】
第１の記録媒体に記録された放送情報を第２の記録媒体に記録させる情報編集装置であって、
前記放送情報のうちの番組外情報および番組情報の少なくともいずれか一方の種別を認識する種別認識手段と、
この種別認識手段にて認識する前記放送情報における種別に関する識別信号を前記放送情報の前記種別毎の部分情報に関連付けて前記放送情報とともに第１の記録媒体に記録させる識別信号付与手段と、
前記第１の記録媒体に記録された前記番組情報を前記第２の記録媒体へ記録させる旨の要求信号を認識する要求認識手段と、
この要求認識手段にて前記要求信号を認識することにより、前記識別信号に基づいて前記番組情報に関する識別情報が関連付けられた前記部分情報を前記第１の記録媒体から前記第２の記録媒体へ記録させる転送手段と、
を具備したことを特徴とした情報編集装置。
【請求項２】
請求項１に記載の情報編集装置であって、
前記種別認識手段にて認識する種別が切り替わることを認識する種別変更認識手段と、を具備し、
前記識別信号付与手段は、前記種別変更認識手段にて認識する前記放送情報における種別の切り替わり位置に前記種別信号を関連付ける
ことを特徴とした情報編集装置。
【請求項３】
第１の記録媒体に記録された放送情報を第２の記録媒体に記録させる情報編集装置であって、
前記放送情報のうちの番組外情報および番組情報の少なくともいずれか一方の種別を認識する種別認識手段と、
この種別認識手段にて認識する種別が切り替わることを認識する種別変更認識手段と、
この種別変更認識手段にて認識する前記放送情報における種別の切り替わり位置に識別信号を関連付ける識別信号付与手段と、
前記第１の記録媒体に記録された前記放送情報の前記番組情報を前記第２の記録媒体へ記録させる旨の要求信号を認識する要求認識手段と、
この要求認識手段にて前記要求信号を認識することにより、前記識別信号が関連付けられた前記放送情報における前記識別信号間の前記番組情報を前記第２の記録媒体へ記録させる転送手段と、
を具備したことを特徴とした情報編集装置。
【請求項４】
請求項２または請求項３に記載の情報編集装置であって、
前記種別認識手段は、前記放送情報の受信時に前記種別を認識し、
前記種別信号付与手段は、前記識別信号を関連付けて前記放送情報を前記第１の記録手段に記録させる
ことを特徴とした情報編集装置。
【請求項５】
請求項４に記載の情報編集装置であって、
時刻を計時する計時手段を具備し、
前記種別認識手段は、前記種別を認識しつつ前記受信する放送情報を前記計時手段にて計時する時刻を関連付けて前記第１の記録媒体に記録させ、
前記種別変更認識手段は、前記種別の切り替わりを認識した時点における前記放送情報に関連付けられている時刻を認識し、
前記種別信号付与手段は、前記種別変更認識手段にて認識した時刻に対応する前記放送情報の位置を切り替わり位置として認識して前記識別信号を関連付ける
ことを特徴とした情報編集装置。
【請求項６】
請求項１ないし請求項５のいずれかに記載の情報編集装置であって、
前記放送情報を表示装置に表示させる制御をする制御手段をさらに具備し、
前記制御手段は、前記第１の記録媒体に記録された番組情報を前記第２の記録媒体に記録するに際し、
前記第１の記録媒体に記録された放送情報の総時間情報と、
前記放送情報から前記番組外情報を除いた本編時間情報と、を
前記表示装置に表示させる制御をする
ことを特徴とした情報編集装置。
【請求項７】
請求項２または請求項３に記載の情報編集装置であって、
前記種別認識手段は、前記第１の記録媒体に記憶された前記放送情報を読み取って種別を認識し、
前記種別信号付与手段は、前記識別信号を前記第１の記録媒体に記憶された前記放送情報に関連付けて前記第１の記録媒体に記録させる
ことを特徴とした情報編集装置。
【請求項８】
請求項７に記載の情報編集装置であって、
前記放送情報を出力する出力手段にて前記出力される前記放送情報に基づく入力操作に応じて操作手段から出力される所定の信号を認識する操作認識手段と、を具備し、
前記種別変更認識手段は、前記操作認識手段にて認識する前記所定の信号に基づいて種別が切り替わることを認識する
ことを特徴とした情報編集装置。
【請求項９】
請求項１ないし請求項７のいずれかに記載の情報編集装置であって、
前記識別信号が関連付けられた前記放送情報における前記識別信号間の部分情報を出力手段にて出力させる出力制御手段と、前記出力手段から出力される前記部分情報に応じた入力操作により操作手段から出力される選択信号を取得する選択認識手段と、を具備し、
前記転送手段は、前記選択認識手段にて取得した選択信号に対応する前記部分情報を前記番組情報として前記第２の記録媒体へ記録させる
ことを特徴とした情報編集装置。
【請求項１０】
請求項１ないし請求項９のいずれかに記載の情報編集装置であって、
前記転送手段は、前記識別信号間の種別毎の合計時間長を認識する時間長認識手段と、この時間長認識手段にて認識した合計時間長のうち時間長が長い前記種別を前記番組情報と判断する種別判断手段と、を備えた
ことを特徴とした情報編集装置。
【請求項１１】
請求項１ないし請求項９のいずれかに記載の情報編集装置であって、
前記転送手段は、前記識別信号間の種別毎の合計時間長を認識する時間長認識手段と、この時間長認識手段にて認識した種別毎の合計時間長を報知手段にて報知させる報知制御手段と、前記報知手段にて報知される合計時間長に基づいた前記種別を選択する入力操作に応じて操作手段から出力される選択信号を取得する選択確認手段と、この選択確認信号に基づいて前記選択された種別を前記番組情報と判断する種別判断手段と、を備えた
ことを特徴とした情報編集装置。
【請求項１２】
請求項１ないし請求項１１のいずれかに記載の情報編集装置であって、
前記転送手段は、前記識別信号が関係付けられていない前記放送情報を前記第２の記録媒体へ記録させない
ことを特徴とした情報編集装置。
【請求項１３】
請求項１ないし請求項１２のいずれかに記載の情報編集装置であって、
前記種別認識手段は、前記放送情報に含まれ前記番組外情報である旨の番組外識別信号に基づいて前記番組外情報を認識する
ことを特徴とした情報編集装置。
【請求項１４】
請求項１ないし請求項１３のいずれかに記載の情報編集装置と、
この情報編集装置により制御され前記第１の記録媒体に各種情報を読み出し可能に記録する第１の記録手段と、
前記情報編集装置により制御され前記第２の記録媒体に各種情報を読み出し可能に記録する第２の記録手段と、
を具備したことを特徴とした編集装置。
【請求項１５】
演算手段により、第１の記録媒体に記録された放送情報を第２の記録媒体に記録させる情報編集方法であって、
前記演算手段は、
前記放送情報のうちの番組外情報および番組情報の少なくともいずれか一方の種別を認識し、
この認識する種別に関する識別信号を前記放送情報の前記種別毎の部分情報に関連付けて前記放送情報とともに第１の記録媒体に記録させ、
前記第１の記録媒体に記録された前記放送情報の前記番組情報を前記第２の記録媒体へ記録させる旨の要求信号を認識すると、前記識別信号に基づいて前記放送情報における前記番組情報に関する識別信号が関連付けられた前記部分情報を前記第２の記録媒体へ記録させる
ことを特徴とする情報編集方法。
【請求項１６】
演算手段により、第１の記録媒体に記録された放送情報を第２の記録媒体に記録させる情報編集方法であって、
前記演算手段は、
前記放送情報のうちの番組外情報および番組情報の少なくともいずれか一方の種別を認識し、
この認識する種別の切り替わりを認識し、
この認識した種別の切り替わり位置に識別信号を関連付け、
前記第１の記録媒体に記録された前記放送情報の前記番組情報を前記第２の記録媒体へ記録させる旨の要求信号を認識すると、前記識別信号が関連付けられた前記放送情報における前記識別信号間の前記番組情報を前記第２の記録媒体へ記録させる
ことを特徴とする情報編集方法。
【請求項１７】
演算手段を、請求項１ないし請求項１３のいずれかに記載の情報編集装置として機能させる
ことを特徴とした情報編集プログラム。
【請求項１８】
請求項１５または請求項１６に記載の情報編集方法を演算手段に実行させる
ことを特徴とした情報編集プログラム。
【請求項１９】
請求項１７または請求項１８に記載の情報編集プログラムが演算手段にて読取可能に記憶された
ことを特徴とした情報編集プログラムを記録した記録媒体。
【発明の詳細な説明】
【技術分野】
【０００１】
本発明は、第１の記録媒体に記録されコマーシャルメッセージと番組情報とを有する放送情報を第２の記録媒体に記録させる情報編集装置、その方法、そのプログラム、そのプログラムを記録した記録媒体、および、編集装置に関する。
【背景技術】
【０００２】
従来、放送情報のコマーシャルメッセージ（Commercial Message：ＣＭ）をスキップして再生する構成が知られている。このＣＭをスキップして放送情報を再生する構成としては、放送情報のＣＭ部分を例えば音声により判別し、この判別したＣＭ部分をスキップさせて再生する（例えば、特許文献１および特許文献２）。
【０００３】
特許文献１に記載のものは、放送番組の磁気テープへの録画中に、音声放送信号のステレオ、多重、モノラルのいずれかの方式が変わると、その時点で録画中の磁気テープに位置検出信号を記録する。そして、放送番組の再生時には、磁気テープから位置検出信号が再生されると、位置検出信号に基づいて録画内容を判断し、ＣＭと判断した場合には磁気テープの走行速度を高速にする構成が採られている。
【０００４】
特許文献２に記載のものは、チューナで選局した番組を映像・音声信号処理回路で処理し、デジタルの映像および音声データに変換し、ＭＰＥＧエンコーダで圧縮符号化処理する。この圧縮符号化処理した圧縮符号化データを変調した後、光磁気ディスクの圧縮符号化データ用の記録領域に記録する。また、映像・音声信号処理回路で処理した音声データをＣＭ判別回路にて、２カ国語放送中にステレオ放送を受信するとそのステレオ放送部分をＣＭと判断し、ＭＰＥＧエンコーダから出力させる音声データに同期してＭＰＵに入力させる。そして、ＭＰＵで判別信号に基づいて、記録中の映像・音声データがＣＭか番組かを識別するコードを付与し、ファイル管理データ用の記録領域に、記録中のアドレスに対応して記録する。そして、ＣＭをスキップする選択に応じて再生する際には、ＣＭに対応するコードが付加されたアドレスに記録されているデータをスキップし、番組に対応するコードが付加されたデータのみを再生する構成が採られている。
【０００５】
【特許文献１】特開平３−１７７１７５号（第４頁右下欄−第９頁右上欄）
【特許文献２】特開２０００−１１４８８号（第２頁左欄−第３頁左欄）
【発明の開示】
【発明が解決しようとする課題】
【０００６】
ところで、上述した特許文献１および特許文献２に記載のようなＣＭをスキップして再生させる従来の構成では、記録媒体に再生させないＣＭも記録される。このことから、再生させる番組を記録する記録領域が減少する問題点が一例として挙げられる。
【０００７】
本発明は、このような実情に鑑みて、放送情報の必要な部分を適切に記録する情報編集装置、その方法、そのプログラム、そのプログラムを記録した記録媒体、および、編集装置を提供することを目的とする。
【課題を解決するための手段】
【０００８】
請求項１に記載の発明は、第１の記録媒体に記録された放送情報を第２の記録媒体に記録させる情報編集装置であって、前記放送情報のうちの番組外情報および番組情報の少なくともいずれか一方の種別を認識する種別認識手段と、この種別認識手段にて認識する前記放送情報における種別に関する識別信号を前記放送情報の前記種別毎の部分情報に関連付けて前記放送情報とともに第１の記録媒体に記録させる識別信号付与手段と、前記第１の記録媒体に記録された前記番組情報を前記第２の記録媒体へ記録させる旨の要求信号を認識する要求認識手段と、この要求認識手段にて前記要求信号を認識することにより、前記識別信号に基づいて前記番組情報に関する識別情報が関連付けられた前記部分情報を前記第１の記録媒体から前記第２の記録媒体へ記録させる転送手段と、を具備したことを特徴とした情報編集装置である。
【０００９】
請求項３に記載の発明は、第１の記録媒体に記録された放送情報を第２の記録媒体に記録させる情報編集装置であって、前記放送情報のうちの番組外情報および番組情報の少なくともいずれか一方の種別を認識する種別認識手段と、この種別認識手段にて認識する種別が切り替わることを認識する種別変更認識手段と、この種別変更認識手段にて認識する前記放送情報における種別の切り替わり位置に識別信号を関連付ける識別信号付与手段と、前記第１の記録媒体に記録された前記放送情報の前記番組情報を前記第２の記録媒体へ記録させる旨の要求信号を認識する要求認識手段と、この要求認識手段にて前記要求信号を認識することにより、前記識別信号が関連付けられた前記放送情報における前記識別信号間の前記番組情報を前記第２の記録媒体へ記録させる転送手段と、を具備したことを特徴とした情報編集装置を具備したことを特徴とした情報編集装置である。
【００１０】
請求項１４に記載の発明は、請求項１ないし請求項１３のいずれかに記載の情報編集装置と、この情報編集装置により制御され前記第１の記録媒体に各種情報を読み出し可能に記録する第１の記録手段と、前記情報編集装置により制御され前記第２の記録媒体に各種情報を読み出し可能に記録する第２の記録手段と、を具備したことを特徴とした編集装置である。
【００１１】
請求項１５に記載の発明は、演算手段により、第１の記録媒体に記録された放送情報を第２の記録媒体に記録させる情報編集方法であって、前記演算手段は、前記放送情報のうちの番組外情報および番組情報の少なくともいずれか一方の種別を認識し、この認識する種別に関する識別信号を前記放送情報の前記種別毎の部分情報に関連付けて前記放送情報とともに第１の記録媒体に記録させ、前記第１の記録媒体に記録された前記放送情報の前記番組情報を前記第２の記録媒体へ記録させる旨の要求信号を認識すると、前記識別信号に基づいて前記放送情報における前記番組情報に関する識別信号が関連付けられた前記部分情報を前記第２の記録媒体へ記録させることを特徴とする情報編集方法である。
【００１２】
請求項１６に記載の発明は、演算手段により、第１の記録媒体に記録された放送情報を第２の記録媒体に記録させる情報編集方法であって、前記演算手段は、前記放送情報のうちの番組外情報および番組情報の少なくともいずれか一方の種別を認識し、この認識する種別の切り替わりを認識し、この認識した種別の切り替わり位置に識別信号を関連付け、前記第１の記録媒体に記録された前記放送情報の前記番組情報を前記第２の記録媒体へ記録させる旨の要求信号を認識すると、前記識別信号が関連付けられた前記放送情報における前記識別信号間の前記番組情報を前記第２の記録媒体へ記録させることを特徴とする情報編集方法である。
【００１３】
請求項１７に記載の発明は、演算手段を、演算手段を、請求項１ないし請求項１３のいずれかに記載の情報編集装置として機能させることを特徴とした情報編集プログラムである。
【００１４】
請求項１８に記載の発明は、請求項１５または請求項１６に記載の情報編集方法を演算手段に実行させることを特徴とした情報編集プログラムである。
【００１５】
請求項１９に記載の発明は、請求項１７または請求項１８に記載の情報編集プログラムが演算手段にて読取可能に記憶されたことを特徴とした情報編集プログラムを記録した記録媒体である。
【発明を実施するための最良の形態】
【００１６】
以下に、本発明の一実施の形態を図面に基づいて説明する。本実施の形態では、本発明の編集装置を備えた記録再生装置を例示して説明するが、これに限らず、編集装置としてのみ利用するなどしてもよい。また、ＨＤに記録した放送情報をディスク状記録媒体へいわゆるダビング処理する構成について説明するが、ディスク状記録媒体からＨＤへダビング処理する構成、さらには双方が可能な構成をも対象とすることができる。図１は、本実施の形態における記録再生装置の概略構成を示すブロック図である。図２は、ＣＰＵの内部構成を示すブロック図である。
【００１７】
〔記録再生装置の構成〕
図１において、１００は記録再生装置で、この記録再生装置１００は、放送情報を受信して適宜記録するとともに出力すなわち再生させる処理をする。この記録再生装置１００は、放送情報の少なくとも一部を再生する出力手段２００と、編集装置３００と、を備えている。なお、本発明でいう「情報編集装置」とは、この編集装置３００を少なくとも含む装置であり、例えばＨＤを搭載したＤＶＤレコーダなどの記録再生装置が例示される。
【００１８】
出力手段２００は、例えば音声データや音楽データなどの音情報を出力すなわち音として再生させる図示しないスピーカを備えた発音装置と、画像データや映像データなどの像データを出力すなわち表示により再生させる図示しない表示装置と、などを備えている。そして、出力手段２００は、編集装置３００に接続され、編集装置３００から出力される音情報を発音装置にて再生したり、編集装置３００から出力される像データを表示装置にて再生させたりする。表示装置としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１９】
編集装置３００は、操作手段としてのリモートコントローラ（以下、リモコンと称する。）３１０と、編集装置本体３２０とを備えている。リモコン３１０は、図示しない各種操作ボタンや操作つまみなどを有し、これら操作ボタンや操作つまみなどの入力操作に対応して所定の信号を無線媒体を介して出力する。ここで、無線媒体としては、赤外線などの光や音波、電波、電磁波などが例示できる。
【００２０】
編集装置本体３２０は、放送情報を受信して再生可能に処理するとともに適宜記録の処理も実施可能である。この編集装置本体３２０は、放送受信部３２１と、エンコーダ３２２と、第１の記録手段としてのハードディスクドライブ（ＨＤＤ：Hard Disk Drive）３２３と、第２の記録手段としてのディスクドライブ３２４と、記録再生制御部３２５と、デコーダ部３２９と、制御手段としても機能し得る出力制御部３２６と、メモリ３２７と、演算手段としても機能する情報編集装置としてのＣＰＵ（Central Processing Unit）３２８と、を備えている。
【００２１】
放送受信部３２１は、放送情報を有した放送波を受信するアンテナ３２１Ａが接続されている。この放送受信部３２１は、ＣＰＵ３２８に接続され、ＣＰＵ３２８の制御により、アンテナ３２１Ａにて受信した放送波を適宜処理して放送情報を取得する。
【００２２】
エンコーダ３２２は、ＣＰＵ３２８に接続され、ＣＰＵ３２８の制御により放送受信部３２１で取得した放送情報をデジタル信号に符号化処理する。
【００２３】
ＨＤＤ３２３は、第１の記録媒体としての図示しないハードディスク（ＨＤ：Hard Disk）に各種情報を読み出し可能に記録する。また、ＨＤＤ３２３は、ＨＤに記録された情報を適宜削除する。なお、このＨＤＤ３２３としては、ランダムアクセス可能な構成が好ましい。
【００２４】
ディスクドライブ３２４は、第１の記録媒体としての例えばディスク状記録媒体が着脱可能に装着される。ここで、ディスク状記録媒体としては、例えばＤＶＤ−Ｒ（Digital Versatile Disc-Recordable）やＤＶＤ−ＲＷ（Digital Versatile Disc - ReWritable）、ＤＶＤ−ＲＯＭ（Digital Versatile Disc - Read Only Memory）、ＣＤ−ＲＯＭ（Compact Disc-Read Only Memory）などが例示できる。そして、ディスクドライブ３２４は、装着されたディスク状記録媒体に各種情報を読み出し可能に記録する。なお、ディスクドライブ３２４は、ディスク状記録媒体に記録された情報を適宜削除可能な構成としてもよい。
【００２５】
記録再生制御部３２５は、ＣＰＵ３２８に接続されるとともに、ＨＤＤ３２３およびディスクドライブ３２４を接続している。記録再生制御部３２５は、ＣＰＵ３２８の制御により、エンコーダ３２２で符号化処理された放送情報をＨＤＤ３２３あるいはディスクドライブ３２４へ出力し、ＨＤあるいはディスク状記録媒体へ適宜記録させる処理をする。また、記録再生制御部３２５は、ＣＰＵ３２８の制御により、ＨＤあるいはディスク状記録媒体に記録された放送情報の少なくとも一部をディスクドライブ３２４あるいはＨＤＤ３２３へ出力し、ディスク状記録媒体あるいはＨＤへ適宜記録させる処理をする。さらに、記録再生制御部３２５は、ＣＰＵ３２８の制御に基づいてＨＤＤ３２３を制御し、ＨＤに記録された所定の情報を削除させる処理をする。
【００２６】
デコーダ部３２９はＣＰＵ３２８に接続され、ＣＰＵ３２８の制御により、ＨＤあるいはディスク状記録媒体に記録されて読み取られた放送情報を記録再生制御部３２５で取得したデジタル信号を復号化処理する。
【００２７】
出力制御部３２６は、ＣＰＵ３２８に接続され、ＣＰＵ３２８の制御により、デコーダ部３２９から出力される復号化された信号に、例えばＯＳＤ（On-Screen Display）やＧＵＩ（Graphical User Interface）などを付与し、出力手段２００で再生可能に処理する。そして、出力制御部３２６は、再生可能に処理した放送情報を出力手段２００へ出力し、出力手段２００で再生させる処理をする。
【００２８】
メモリ３２７は、ＣＰＵ３２８に接続され、ＣＰＵ３２８から取得した各種情報をＣＰＵ３２８が取得可能に記憶する。また、メモリ３２７は、編集装置３００全体を動作制御するＯＳ（Operating System）上に展開される各種プログラムなどを適宜読み出し可能に記憶する。なお、メモリ３２７としては、ＨＤや光ディスク、メモリカードなどの各種記録媒体に読み出し可能に記憶するドライブやドライバなどを備えた構成などとしてもよい。
【００２９】
ＣＰＵ３２８は、編集装置３００全体の動作を制御する。このＣＰＵ３２８は、各種プログラムとして、内容情報生成手段４０１と、出力制御手段４０２と、選択認識手段４０３と、操作認識手段４０４と、種別認識手段４０５と、種別変更認識手段４０６と、識別信号付与手段４０７と、要求認識手段４０８と、転送手段４０９と、計時手段４１０とを備えている。
【００３０】
内容情報生成手段４０１は、エンコーダ３２２で符号化処理されて記録再生制御部３２５で取得され識別情報が関連付けられた放送情報における識別情報間のチャプタである部分情報の内容を表す内容情報、例えば部分情報の代表的な部分を示すサムネイル画像や部分情報のいずれかの位置におけるチャプタ画像などを生成する。なお、サムネイル画像は、部分情報の初めの部分を示す画像としてもよい。そして、内部情報生成手段４０１は、生成したサムネイル画像やチャプタ画像などの内容情報を部分情報に関連付けてＨＤに記憶させる処理をする。この内容情報生成手段４０１は、例えばリモコン３１０による内容情報を生成する旨の入力操作に基づく信号を認識することで、内容情報を生成して記憶させる処理を実行する構成としてもよい。
【００３１】
出力制御手段４０２は、例えば編集装置３００の電力の供給時やリモコン３１０における所定の入力操作に対応した信号に基づいて、部分情報の一部あるいは内容情報を出力手段２００で再生させる処理をする。また、出力制御手段４０２は、ＨＤあるいはディスク状記録媒体に記録された所定の放送情報を、ディスク状記録媒体あるいはＨＤに記録させるいわゆるダビング処理の実行を要求する例えばリモコン３１０におけるいわゆるダビング処理の入力操作に対応した所定の信号を認識すると、その放送情報の部分情報毎の内容情報を一覧表示させる。
【００３２】
選択認識手段４０３は、リモコン３１０における所定の入力操作、すなわち出力制御手段４０２により出力手段２００で一覧表示されている内容情報を選択する旨の入力操作に対応して所定の内容情報を選択した旨の選択信号を認識する。そして、選択認識手段４０３は、選択された内容情報に対応する部分情報を認識する。
【００３３】
操作認識手段４０４は、リモコン３１０における所定の入力操作、例えば出力手段２００で再生されている放送情報に対応して所定の入力操作が実施された所定の信号に基づいて、その入力操作されたタイミングに対応する放送情報の位置を切り替わり位置として設定する。例えば放送情報の始まりからの時間を認識し、その時間に関する情報を種別変更認識手段４０６へ出力する処理をする。
【００３４】
種別認識手段４０５は、放送受信部３２１にて受信して適宜処理により取得した放送情報における本編以外の情報である番組外情報（例えばコマーシャルメッセージなど）、および本編である番組情報のうちの少なくともいずれか一方の種別を認識する。具体的には、種別認識手段４０５は、放送情報に含まれる音情報の特性である音声方式、例えばステレオ音声方式か、二カ国語などの多重音声方式か、モノラル音声方式かを認識する。なお、この音声方式の認識処理は、例えばリモコン３１０による実施しない旨の入力操作に対応した信号を認識した場合には実施しなくてもよい。
【００３５】
種別変更認識手段４０６は、種別認識手段４０５で認識する音情報の特性の切り替わりを認識する。例えば、ステレオ音声方式から多重音声方式またはモノラル音声方式へ切り替わったり、多重音声方式またはモノラル音声方式からステレオ音声方式へ切り替わったりする音声方式の切り替わりを認識する。そして、種別変更認識手段４０６は、切り替わりを認識すると、その旨を示す切り替わり信号を出力する。また、種別変更認識手段４０６は、所定の入力操作に対応してリモコン３１０から出力される所定の信号を認識すると、その所定の信号に基づいて放送情報の所定の位置を切り替わり位置として認識可能となっている。すなわち、種別変更認識手段４０６は、操作認識手段４０４から出力される放送情報の始まりからの時間に関する情報を取得すると、その時間の位置を切り替わり位置として認識する。なお、この音声方式の切り替わりの認識処理は、例えばリモコン３１０による実施しない旨の入力操作に対応した信号を認識した場合には実施しなくてもよい。
【００３６】
識別信号付与手段４０７は、種別変更認識手段４０６から出力される切り替わり信号を認識すると、記録再生制御部３２５を制御して、エンコーダ３２２で符号化された後の記録再生制御部３２５で取得した放送情報の対応する切り替わり位置に音声方式の切り替わる位置である旨の識別信号を関連付けて、識別信号とともに放送情報をＨＤに記録させる処理をする。この識別信号を関連付ける切り替わり位置は、例えば放送受信部３２１でストリームデータとして放送情報を取得する際に、計時手段４１０にて計時する時刻を対応させ、この時刻に基づいて切り替わり位置を認識する。なお、この時刻に基づいて切り替わり位置を認識する構成の他、いずれの方法が利用できる。また、切り替わり位置を認識した時点で直ちに識別信号を関連付け、その後にエンコーダ３２２で符号化処理するなどしてもよい。なお、この識別信号を関連付けてＨＤに記録する処理は、例えばリモコン３１０による実施しない旨の入力操作に対応した信号を認識した場合には実施しなくてもよい。
【００３７】
要求認識手段４０８は、所定の入力操作、すなわち放送情報のうちＣＭを除く番組情報をディスク状記録媒体へ記録させるいわゆるＣＭカットダビングの実行を要求する旨の入力操作に対応してリモコン３１０から出力される所定の信号であるＣＭカットダビング要求情報を認識する。また、要求認識手段４０８は、放送情報をそのままダビングする旨の入力操作に対応した所定の信号をも認識可能である。さらには、要求認識手段４０８は、出力手段２００で再生されている部分情報や内容情報を選択して削除する旨の入力操作に対応した選択信号を認識すると、その入力操作にて選択された部分情報や内容情報に対応する部分情報を除く他の部分情報をダビングする半自動ダビング処理の実行を要求する旨の信号をも認識可能である。そして、要求認識手段４０８は、認識した各種ダビング要求に対応したダビング要求信号を転送手段へ出力する。
【００３８】
転送手段４０９は、要求認識手段４０８からのダビング要求に対応したダビング要求信号を認識すると、記録再生制御部３２５を制御してＨＤＤ３２３を制御させ、ダビング要求信号に基づいて、識別信号が関連付けられてＨＤに記録された放送情報における識別信号間の対応する部分情報の少なくとも一部を取得させる。さらに、転送手段４０９は、記録再生制御部３２５によるディスクドライブ３２４の制御により、取得した部分情報をディスク状記録媒体に一連の放送情報として記録させる処理をする。
【００３９】
また、転送手段４０９は、制御手段としても機能し得る時間長認識手段４０９Ａと、種別判断手段４０９Ｂと、を備えている。そして、時間長認識手段４０９Ａは、例えば種別認識手段４０５で認識した種別毎すなわち音情報の特性毎における部分情報の時間長の合計時間長を演算する。そして、時間長認識手段４０９Ａは、出力制御部３２６を制御して、認識した種別毎の合計時間長を出力手段２００で音あるいは表示として再生させる処理をする。一方、種別判断手段４０９Ｂは、例えばリモコン３１０の所定の入力操作に基づいて、所定の音情報の特性に対応する部分情報をＣＭと自動的に認識する。例えばステレオ音声方式の部分情報は、ＣＭであると自動的に認識する。また、種別判断手段４０９Ｂは、例えばリモコン３１０の所定の入力操作に基づいて、時間長認識手段４０９Ａにて例えば合計時間長が短い音情報の特性に対応した部分情報をＣＭと自動的に認識する。さらに、種別判断手段４０９Ｂは、出力手段２００で再生される各合計時間長の音情報の特性や内容情報のいずれかを選択するリモコン３１０の所定の入力操作に対応した所定の信号に基づいて、その音情報の特性あるいは内容情報に対応した部分情報をＣＭと認識する。そして、種別判断手段４０９Ｂは、ＣＭと認識した部分情報にＣＭである旨の信号を関連付けて放送情報とともにＨＤに記憶させる処理をする。そして、転送手段４０９は、ダビング要求信号に基づいて、種別判断手段４０９ＢでＣＭと認識した部分情報以外の部分情報をダビング処理する。なお、種別判断手段４０９Ｂは、リモコン３１０の所定の入力操作に基づくことなく、自動的に対応する部分情報をＣＭと認識する構成としてもよい。
【００４０】
計時手段４１０は、例えば内部クロックなどの基準パルスに基づいて現在時刻を認識する。そして、この認識した現在時刻に関する時刻情報を適宜出力する。
【００４１】
〔記録再生装置の動作〕
次に、上記記録再生装置１００の動作について図３に基づいて説明する。図３は、ＣＭカットダビング処理を示すフローチャートである。なお、この録画動作としてはＨＤに記録させ、ＣＭカットダビング処理としてはＨＤに記録された放送情報をディスク状記録媒体へダビングする処理について説明するが、上述したように、ＨＤあるいはディスク状記録媒体のいずれに録画してもよく、ディスク状記録媒体からＨＤへダビングするなどしてもよい。
【００４２】
（放送番組の録画処理）
まず、記録再生装置１００は、電源がオンされた後、利用者による任意の番組の録画を開始する旨の入力操作を認識すると、ＣＰＵ３２８は放送受信部３２１を制御して、所定の放送波をアンテナ３２１Ａで受信させて放送情報を取得させる。そして、ＣＰＵ３２８は、エンコーダ３２２を制御し、放送受信部３２１で順次取得された放送情報を符号化処理などの処理をする。さらに、ＣＰＵ３２８は、入力操作により設定された録画要求の条件を認識し、図３に示すように、ＣＭスキップによる再生モードがあらかじめリモコン３１０による所定の入力操作にて設定されているか否かを判断する（ステップＳ１０１）。このステップＳ１０１において、ＣＭスキップによる再生モードが設定されておらず、通常のダビング要求である旨を認識すると、通常のダビング処理をする（ステップＳ１０２）。この通常のダビング処理としては、例えば、記録再生制御部３２５を制御して、記録先の設定に基づいてＨＤあるいはディスク状記録媒体に識別信号を関連付けて放送情報を記録させる。さらに、通常のダビング処理として、ＨＤおよびディスク状記録媒体の双方に記録させてもよい。なお、入力操作による設定に基づいて、録画の終了時にＨＤに記録された放送情報をディスク状記録媒体に記録させるダビング処理をしてもよい。
【００４３】
また、ステップＳ１０１において、ＣＰＵ３２８がＣＭスキップによる再生モードが設定されていると判断すると、種別認識手段４０５により、放送受信部３２１にて受信して適宜処理により取得した放送情報における音声方式を認識する。そして、ＣＰＵ３２８は、種別変更認識手段４０６により種別認識手段４０５で認識する音声方式の切り替わりを認識すると、音声方式が切り替わった旨の切り替わり信号を出力する。この種別変更認識手段４０６から出力される切り替わり信号を識別信号付与手段４０７が認識すると、記録再生制御部３２５を制御し、エンコーダ３２２で符号化された後に記録再生制御部３２５で取得する放送情報の対応する切り替わり位置に、音声方式が切り替わる位置である旨の識別信号を関連付け、放送情報を識別信号とともにＨＤに記録させる。この識別信号を関連付ける放送情報の対応する切り替わり位置としては、例えば受信時における放送情報に関連付けられた計時手段４１０にて計時した時刻に関する時刻情報に基づいて切り替わり位置を認識した時刻と、放送情報に関連付けられた時刻情報とを比較し、同一の時刻の位置を切り替わり位置として認識し、識別信号を関連付ける。
【００４４】
さらに、ＣＰＵ３２８は、記録再生制御部３２５および出力制御部３２６を制御し、例えばステレオ音声方式が関連付けられたその後の部分情報を除外して、記録再生制御部３２５にてＨＤに記録している部分情報を順次読み取らせて出力制御部３２６へ出力し、適宜デコード処理して出力手段２００へ出力させて再生される。このことにより、ＣＭがスキップされた状態で放送情報が再生される。なお、例えばリモコン３１０による所定の入力操作により、ＣＭスキップ再生モードとして、ＣＭのスキップとして３０秒間、１分間、１分３０秒間などの時間設定がなされている場合には、ステレオ音声方式の識別信号が関連付けられたその後の部分情報を設定された時間長だけ再生させない処理をしてもよい。
【００４５】
そして、ＣＰＵ３２８は、ＣＭスキップ再生モードの処理を実行しつつ、転送手段４０９の時間長認識手段４０９Ａにより、放送情報の識別信号間の部分情報における音声方式毎の合計時間長を演算する（ステップＳ１０３）。この演算した各音声方式毎の合計時間長に関する情報は、適宜メモリ３２７に記憶される。また、ＣＰＵ３２８は、放送情報をＨＤに記録する際、内容情報生成手段４０１により、部分情報のサムネイル画像やチャプタ画像を生成し、部分情報に関連付けて放送情報とともにＨＤに記録する。
【００４６】
（ダビング処理）
また、ＣＰＵ３２８は、要求認識手段４０８がダビング処理の実行を要求する旨のダビング要求信号を認識したか否かを判断する（ステップＳ１０４）。そして、ダビング要求信号を認識しない、すなわちダビング開始指示が設定されていないと判断すると、計時手段４１０により所定時間を経過したか否かを判断する（ステップＳ１０５）。このステップＳ１０５において、所定時間経過していないと判断すると、まだＣＭスキップ再生モードによる録画処理が終了していない、あるいはＣＭスキップ再生モードによる録画処理が終了したから、ダビング要求の待機時間内であると判断する。具体的には、ＣＭスキップ再生モードの終了後、ＣＰＵ３２８はステップＳ１０３で演算しメモリ３２７に記憶した各音声方式毎の合計時間長に関する情報のうち、放送情報の全時間の合計時間長（この放送情報の全時間の合計時間長に関する情報を総時間情報と称する）と、ステレオ音声方式以外の多重音声方式あるいはモノラル音声方式の合計時間長（このステレオ音声方式以外の音声方式の合計時間長に関する情報を本編時間情報と称する）とを、出力制御部３２６を制御して出力手段２００で画面表示させる処理を所定時間実施させ、ダビング要求の入力操作を促す。そして、ステップＳ１０５において、所定時間経過、例えば５秒間の間に舵便要求の入力操作が行われないと判断すると、処理を終了する。
【００４７】
一方、ステップＳ１０４において、要求認識手段４０８がダビング要求信号を認識した場合、転送手段４０９により録画中または録画が完了した放送情報の最初の部分情報の音声方式を認識する（ステップＳ１０６）。そして、転送手段４０９は、識別信号に基づいて最初の部分情報がＣＭか否かを判断する（ステップＳ１０７）。ステップＳ１０７において、ＣＭではない、すなわち多重音声方式あるいはモノラル音声方式の番組情報であることを認識すると、転送手段４０９は最初の部分情報をダビング処理するためのダビングリストにリストアップする処理をする（ステップＳ１０８）。
【００４８】
この後、転送手段４０９は、ステップＳ１０７における判断をした部分情報が、最後の部分情報か否かを判断する（ステップＳ１０９）。このステップＳ１０９において、まだ最後の部分情報でないと判断すると、次の部分情報を読み出し（ステップＳ１１０）、ステップＳ１０７に戻って、次の部分情報の判断をする。また、ステップＳ１０９において、最後の部分情報であると判断すると、放送情報の全ての部分情報におけるＣＭか否かの判断の実施が完了したと判断する。転送手段４０９は、記録再生制御部３２５を制御し、ダビングリストにリストアップされた部分情報をＨＤから読み取るとともに、ディスクドライブ３２４へ出力してディスク状記録媒体に一連の放送情報として記録させる処理をし（ステップＳ１１１）、ダビング処理を終了する。なお、例えばリモコン３１０における所定の入力操作にて、ダビング処理後のＨＤに記録されている放送情報を削除する処理が設定されている場合には、ダビング処理の終了後あるいはダビング処理の実施と平行して転送元のＨＤに記録されている放送情報を削除する処理をしてもよい。
【００４９】
なお、ステップＳ１０４において、放送情報の全時間の合計時間長と、番組情報に対応する多重音声方式あるいはモノラル音声方式の合計時間長との表示内容に基づいて、適切でない、例えば番組情報に対応する合計時間長が極めて短いなどと判断した場合などでは、番組情報がステレオ音声方式であったこととなる。このため、ＣＭもステレオ音声方式であると、音声方式による種別の判断処理が適切でないこととなる。このため、例えばダビング要求の設定をしない、あるいは既にダビング要求している場合には中断する設定、さらには後述するように、手動により利用者がＣＭを判断して設定し、適切に部分情報に区分けする処理に変更するなどすればよい。また、合計時間長の表示をさせず、例えば番組情報に対応する多重音声方式あるいはモノラル音声方式の合計時間長が、ステレオ音声方式の合計時間長よりも長いと判断することにより、所定の入力操作によらずに自動的に多重音声方式あるいはモノラル音声方式の部分情報をディスク状記録媒体に記録させる処理をしてもよい。
【００５０】
一方、既にＨＤに記録された放送情報をＣＭスキップでダビング処理を実施させる旨のダビング要求信号を要求認識手段４０８が認識すると、ＣＰＵ３２８は、記録再生制御部３２５を制御してＨＤに記録されている放送情報のサムネイル画像やチャプタ画像などの内容情報を取得させ、出力制御部３２６を制御して取得した内容情報を表示装置に画面表示させる。なお、複数の放送情報が既にＨＤに記録されている場合には、放送情報毎に内容情報を取得して表示装置に一覧表示させる。そして、リモコン３１０におけるいずれかの内容情報を選択する入力操作に応じた選択信号をＣＰＵ３２８が認識すると、ＣＰＵ３２８は、その選択された内容情報に対応する放送情報を認識する。この後、ＣＰＵ３２８は、自動あるいは手動のいずれの方式によりＣＭスキップでダビング処理を実施するかをダビング要求信号に基づいて判断する。そして、自動でダビング処理を実施させる設定であれば、上述したように、ステップＳ１０６からの処理を実施し、選択された放送情報をＣＭスキップでディスク状記録媒体にダビング処理をする。
【００５１】
また、手動でダビング処理を実施させる設定であれば、ＣＰＵ３２８の出力制御手段４０２により、選択された放送情報の各部分情報の内容情報を初めの部分情報から順次一覧表示させる処理をする。なお、内容情報に限らず、部分情報の初めの部分を例えば１０秒間程度ずつ再生させる処理をしてもよい。そして、リモコン３１０の所定の内容情報を選択する旨の入力操作、あるいは順次再生される部分情報が再生されている間に選択する旨の入力操作に応じた選択信号をＣＰＵ３２８の選択認識手段４０３が認識すると、その内容情報に対応する部分情報を番組情報として認識する。このことにより、転送手段４０９の種別判断手段４０９Ｂは、選択認識手段４０３で番組情報として認識した部分情報をダビングリストにリストアップする。そして、ダビングを実行する旨の入力操作に基づいて、ステップＳ１１１と同様にリストアップされている部分情報をディスク状記録媒体にダビングする。
【００５２】
なお、音声方式の種別を判断せずに録画した放送情報やＣＭと番組情報とが同一の音声方式の場合、ＣＭスキップによるダビング処理の要求があった場合には、ＣＰＵ３２８は例えば出力制御部３２６を制御して、ＣＭスキップによるダビング処理ができない旨や手動によるダビング処理を促す旨の表示などを出力手段２００で画面表示させる処理をする。この手動の場合には、対象の放送情報を出力手段２００で再生させつつリモコン３１０における切り替わり位置を設定する旨の入力操作の待機状態とし、リモコン３１０による切り替わり位置を設定する入力操作をＣＰＵ３２８の操作認識手段４０４が認識すると、その位置に対応する放送情報の位置を種別変更認識手段４０６へ出力する。この後、種別変更認識手段４０６は、操作認識手段４０４で認識した切り替わり位置に対応する放送情報の位置に、切り替わり位置である旨の識別信号を関連付ける。そして、放送情報の再生が終了あるいはリモコン３１０による再生を停止する旨の入力操作に基づき、内容情報生成手段４０１が内容情報を生成し、出力制御手段４０２にて一覧表示させる処理をする。この後、上述した手動でダビング処理を実施する場合と同様に、内容情報が適宜選択されることにより、選択された内容情報に対応する部分情報をダビング処理させる。
【００５３】
〔記録再生装置の作用効果〕
上述したように、上記実施の形態では、種別認識手段４０５により放送情報におけるＣＭおよび番組情報のうちの少なくともいずれか一方の種別、すなわち放送情報の音声方式を認識し、種別変更認識手段４０６により種別認識手段４０５で認識する音声方式の切り替わりを認識し、識別信号付与手段４０７により種別変更認識手段４０６で認識した音声方式の切り替わり位置に識別信号を関連付けて放送情報とともにＨＤに記録する。そして、ＨＤに記録されている放送情報をディスク状記録媒体に記録させるダビング処理のダビング要求信号を要求認識手段４０８にて認識すると、転送手段４０９により識別信号が関連付けられた識別信号間のＣＭでない音声方式、例えば多重音声方式あるいはモノラル音声方式の部分情報を番組情報としてディスク状記録媒体に記録させる処理をする。このため、ディスク状記録媒体にはＣＭがスキップされた番組情報が記録されることとなり、ＣＭを記録する領域を番組情報などの記録のための領域に利用でき、記録領域を有効活用でき、必要な番組情報を適切に記録できる。
【００５４】
さらに、ダビング処理したＨＤの放送情報を適宜削除する処理、例えばリモコン３１０によるダビング処理後の転送元の放送情報を削除する旨の入力操作に基づいて削除している。このため、ＨＤにおける新たな放送情報を録画する記録領域が確保でき、必要な番組情報を適切に記録できる。さらには、自動的に転送元の放送情報を削除することで、削除する操作が不要となり、より利便性を向上できる。さらには、放送番組の複製を防止して放送番組の適切な保護が得られる。
【００５５】
そして、放送情報の録画の際に、放送波を受信して取得した放送情報の音声方式を認識し、放送情報を記録する時に識別信号を関連連れてＨＤに記録している。このため、放送情報を録画のために処理する間にＣＭと番組情報との判別を実施しているので、別途音声方式を認識して判別する処理を実施する必要がなく、効率よく処理できる。
【００５６】
さらに、識別信号の関連付けの処理の際、例えば受信時における放送情報に関連付けられた計時手段４１０にて計時した時刻に関する時刻情報に基づいて切り替わり位置を認識した時刻と、放送情報に関連付けられた時刻情報とを比較し、同一の時刻の位置を切り替わり位置として認識し、識別信号を関連付ける。このため、放送受信部３２１で取得した放送情報をそのまま記録せずに符号化処理などを実施する場合でも、後で識別信号を関連付けることが可能となり、切り替わり位置を認識した時点で直ちに識別信号を付与する場合に比して、処理負荷を低減できるとともに、より高精度に切り替わり位置に識別信号を関連付けでき、ＣＭスキップ後の番組情報が円滑に繋がる状態となり良好なダビングが得られる。
【００５７】
また、ＨＤに記録された放送情報を読み取って音声方式を認識して識別信号を関連付けて記録可能としている。このため、識別信号を関連付ける処理を実施することなく録画されている放送情報をＣＭスキップでダビング処理することも可能となり、より利便性を向上できる。
【００５８】
そして、識別信号を関連付ける処理として、リモコン３１０による入力操作にて切り替わり位置を設定して放送情報を複数の部分情報に区画する手動処理も可能としている。このため、識別信号を関連付ける処理を実施することなく録画した放送情報や、種別変更認識手段４０６により音声方式の切り替わりを認識できなかった放送情報でも、手動による設定に基づいてＣＭスキップでダビング処理が可能となり、より利便性を向上できる。さらには、種別変更認識手段４０６にて認識した切り替わり位置を手動により変更して別途区画し直してダビング処理することも可能となり、より利便性を向上できるとともに、種別認識手段４０５や種別変更認識手段４０６で認識した音声方式の切り替わりをより適正化でき、良好なダビングが得られる。
【００５９】
また、内容情報や部分情報の一部を再生させて入力操作により選択された内容情報や部分情報の一部に対応する部分情報をダビングする処理も可能としている。このため、例えば一部の番組情報はダビングしなかったり、一部のＣＭをダビングしたりするなど、ダビングする内容の手動的な選択により、利用者の嗜好に対応したダビング処理が得られ、より利便性を向上できるとともに利用の拡大が容易に図れる。さらには、入力操作による手動的な選択の際に部分情報の内容も確認でき、より適切なダビング処理が得られる。
【００６０】
さらに、手動によりダビング処理する部分情報を選択する際に再生させる内容情報として、部分情報の初めの部分としている。このため、部分情報の内容を容易に認識でき、より適切な部分情報の選択ができる。
【００６１】
また、放送情報の全時間長と、音声方式毎の部分情報の合計時間長とを認識し、利用者に報知、例えば利用者が確認可能に番組情報に対応する合計時間長を表示させる処理をしている。このため、利用者が識別信号が関連付けられて分割される各音声方式毎の区画が適正か否かを容易認識でき、より適切なダビング処理が得られる。具体的には、上述したように、例えばＣＭがモノラル音声方式で、番組情報がステレオ音声方式の場合、番組情報としてモノラル音声方式と判断してしまっても、合計時間長が極めて短いこととなり、番組情報の認識が誤りであることを容易に認識でき、所望とする番組情報を適切にダビング処理できる。さらには、例えば録画した放送番組中に、ステレオ音声方式、多重音声方式、およびモノラル音声方式の３つが混在する場合、例えばＣＭの他に、お天気情報や次の放送番組の一部を合わせて録画してしまった場合などでも、合計時間長に基づいて容易に所望とする番組情報を認識することができ、適切なダビング処理が得られる。そして、認識した合計時間長が長い音声方式の部分情報を自動的にダビングさせることも可能となり、この構成により、さらに利便性を向上できる。
【００６２】
そして、識別信号が関連付けられていない放送情報は、ダビング処理要求が設定されてもＨＤからディスク状記録媒体へダビング処理しない構成としている。このため、ＣＭスキップでのダビング要求の設定にも係わらずＣＭが記録されてしまうことを防止できる。そして、この場合には、上述したように、手動によりダビング処理を可能、すなわち手動により区画して識別信号を関連付けることによりダビング処理を可能としているので、適切に処理できる。
【００６３】
そして、放送情報のＣＭおよび番組情報との種別の切り替わりの認識として、音声方式の切り替わりを認識している。このため、簡単な構成で適切にＣＭおよび番組情報の種別の切り替わりを認識でき、構成の簡略化や処理の高速化が容易に得られる。
【００６４】
また、ＨＤＤ３２３として、ランダムアクセス可能な構成とすることで、録画しつつダビング処理を平行して実施することができる。したがって、より利便性を向上できる。
【００６５】
〔実施の形態の変形〕
なお、本発明は、上述した実施の形態に限定されるものではなく、本発明の目的を達成できる範囲で以下に示される変形をも含むものである。
【００６６】
すなわち、出力手段２００が編集装置３００に接続するものに限らず、例えば編集装置３００と出力手段２００とが一体的に構成された記録再生装置も対象とすることができる。さらには、上述したように、例えば編集装置３００として自動的にダビング処理するなど、編集装置３００を独立して利用することもできる。さらには、ＨＤＤ３２３およびディスクドライブ３２４を備えた構成としたが、別体のＨＤＤやディスクドライブ３２４を接続して編集装置本体３２０を構成するなどしてもよい。また、上述したように、ＨＤからディスク状記録媒体へダビング処理する構成に限らず、ディスク状記録媒体からＨＤへダビング処理する構成としてもよい。さらに、ＨＤに録画する構成に限らず、ディスク状記録媒体へ録画する構成としてもよい。
【００６７】
また、放送波を受信して取得した放送情報を対象としたが、放送波としては、テレビ放送の他、ラジオ放送など各種放送番組を対象とすることができる。さらには、例えばディスク状記録媒体にあらかじめ記録されたコンテンツを放送情報として、この放送情報に含まれるＣＭを削除してダビング処理するなど、いずれのコンテンツを対象とすることができる。
【００６８】
さらに、上述したように、第１の記録媒体および第２の記録媒体としてはＨＤに限らずディスク状記録媒体やメモリなどいずれの記録媒体を対象とすることができる。なお、第１の記録媒体としては、削除可能な構成が好ましい。
【００６９】
そして、音声方式の切り替わり位置に識別信号を関連付けて説明したが、例えばＣＭや放送番組の種別を認識し、その種別の部分情報に種別に関する識別信号を関連付けて部分情報として区画するデータ構造にＨＤに記録させ、ダビング処理の際には、識別信号に基づいて番組情報の識別信号が関連付けられた部分情報をダビング処理するなど、いずれの方法が適用できる。なお、上述したように、切り替わり位置で識別信号を関連付けることにより、選択的にダビング処理するなど部分情報を独立して処理することが簡単な処理でできる。さらには、音声方式を認識してＣＭおよび番組情報を認識して説明したが、いずれか一方のみを認識して番組情報を特定するなどしてもよい。
【００７０】
また、入力操作により各種項目を設定する構成としてリモコン３１０を備えた編集装置３００について説明したが、リモコン３１０の代わりに例えば編集装置３００の外面に臨む位置に操作ボタンや操作つまみなどを設けて入力操作可能とし、入力操作に対応した信号を出力する操作手段を設けたり、双方を備えた構成としたりしてもよい。
【００７１】
そして、音声方式を認識して音声方式の切り替わりをＣＭおよび番組情報の切り替わり位置として処理する構成について説明したが、例えば放送波にコマーシャルメッセージである旨のコマーシャル識別信号が含まれる場合には、そのコマーシャル識別信号に基づいて種別を判断するなど、ＣＭおよび番組情報の種別を認識する方法としては、いずれの方法が適用できる。
【００７２】
また、種別認識手段４０５は、認識した放送情報をエンコーダ３２２にて符号化処理されて記録再生制御部３２５にて取得する放送情報に、音情報の特性の認識したタイミングで計時手段で計時する現在時刻を同期させて関連付け、ＨＤＤ３２３へ出力させてＨＤに記録させる処理をする。
【００７３】
そして、ダビング処理の際に、例えば出力手段２００にて部分情報の内容情報を表示させてその部分情報をダビング処理してよいかの許諾する旨の設定を促す処理をしてもよい。
【００７４】
また、出力手段２００に合計時間長など、各種情報や入力操作を促す案内などを表示させる構成としたが、例えば編集装置３００に表示装置などを設けて、この表示装置に表示させるなどしてもよい。
【００７５】
そして、上述した各機能をプログラムとして構築したが、例えば回路基板などのハードウェアあるいは１つのＩＣ（Integrated Circuit）などの素子にて構成するなどしてもよく、いずれの形態としても利用できる。さらには、例えばパーソナルコンピュータや複数のコンピュータがネットワーク状に接続された構成などに上記各機能を読み取られて編集装置３００として構成するなどしてもよい。このようなプログラム構成として本発明の情報編集装置を構成することで、汎用のパーソナルコンピュータを編集装置３００として機能させるなど、利用の拡大が容易に図れる。さらには、既存の記録再生装置にプログラムを記録させることで、上述の構成が容易に得られる。また、本発明の情報編集装置としては、上述したように回路基板とした流通形態としてもよい。
【００７６】
その他、本発明の実施の際の具体的な構造および手順は、本発明の目的を達成できる範囲で他の構造などに適宜変更できる。
【００７７】
〔実施形態の作用効果〕
上述したように、放送情報におけるＣＭおよび番組情報のうちの少なくともいずれか一方の種別、すなわち放送情報の音声方式を認識し、音声方式の切り替わりを認識し、音声方式の切り替わり位置に識別信号を関連付けて放送情報とともにＨＤに記録する。そして、ＨＤに記録されている放送情報をディスク状記録媒体に記録させるダビング処理のダビング要求信号を認識すると、識別信号が関連付けられた識別信号間のＣＭでない音声方式である例えば多重音声方式あるいはモノラル音声方式の部分情報を番組情報としてディスク状記録媒体に記録させる処理をする。このため、ディスク状記録媒体にはＣＭがスキップされた番組情報が記録されることとなり、ＣＭを記録する領域を番組情報などの記録のための領域に利用でき、記録領域を有効活用でき、必要な番組情報を適切に記録できる。
【００７８】
また、放送情報におけるＣＭおよび番組情報のうちの少なくともいずれか一方の種別を認識して種別に関する種別信号を放送情報の種別毎の部分情報に関連付けて放送情報とともにＨＤに記憶させ、ＨＤに記録されている放送情報をディスク状記録媒体に記録させるダビング処理のダビング要求信号を認識すると、識別信号に基づいて放送情報における番組情報に関する識別信号が関連付けられた部分情報をディスク状記録媒体へ記録させる。このため、ディスク状記録媒体にはＣＭがスキップされた番組情報が記録されることとなり、ＣＭを記録する領域を番組情報などの記録のための領域に利用でき、記録領域を有効活用でき、必要な番組情報を適切に記録できる。
【図面の簡単な説明】
【００７９】
【図１】本発明の一実施の形態に係る記録再生装置の概略構成を示すブロック図である。
【図２】前記一実施の形態におけるＣＰＵの内部構成をを示すブロック図である。
【図３】前記一実施の形態におけるＣＭカットダビング処理を示すフローチャートである。
【符号の説明】
【００８０】
２００    出力手段
３００    編集装置
３２３    第１の記録手段としてのＨＤＤ
３２４    第２の記録手段としてのディスクドライブ
３２６    制御手段としても機能し得る出力制御部
３２８    演算手段としても機能する情報編集装置としてのＣＰＵ
４０２    出力制御手段
４０３    選択認識手段
４０４    操作認識手段
４０５    種別認識手段
４０６    種別変更認識手段
４０７    識別信号付与手段
４０８    要求認識手段
４０９    転送手段
４０９Ａ  制御手段としても機能し得る時間長認識手段
４０９Ｂ  種別判断手段
【図１】
2005302128.tif 000003
【図２】
2005302128.tif 000004
【図３】
2005302128.tif 000005